(57)【要約】【課題】レシート印字の際に値引き商品があった場合、同じ値引き額、または同じ値引き率の商品の値引き額を集計し、その集計結果を一括で印字して、当該レシートにおける商品の値引き金額をまとめて表記するとともに、レシート用紙の節約を図るものである。【解決手段】レシートを印字する印字手段と、商品に関する情報の入力を行う商品入力手段と、一商取引内に前記商品入力手段を介して入力された商品に関する情報に基づいて、当該取引の明細情報を有するレシートを前記印字手段に印字させるための印字データを作成する印字データ作成手段と、前記印字データ作成手段により作成された、個々の商品の金額データ群と、これら商品の中で値引き対象商品の値引き額の集計データ群とを分けて表記する印字データに基づくレシートを、前記印字手段に印字させる印字制御手段と、を備える。【選択図】図５−ａ
2013073294.tif 000002
【特許請求の範囲】
【請求項１】
レシートを印字する印字手段と、
商品に関する情報の入力を行う商品入力手段と、
一商取引内に前記商品入力手段を介して入力された商品に関する情報に基づいて、当該取引の明細情報を有するレシートを前記印字手段に印字させるための印字データを作成する印字データ作成手段と、
前記印字データ作成手段により作成された、個々の商品の金額データ群と、これら商品の中で値引き対象商品の値引き額の集計データ群とを分けて表記する印字データに基づくレシートを、前記印字手段に印字させる印字制御手段と、
を備える商品販売データ処理装置。
【請求項２】
前記レシートにおいて、値引き対象商品の値引き額の集計データ群は、個々の商品の金額データ群の後に印字することを特徴とする請求項１記載の商品販売データ処理装置。
【請求項３】
印字手段により印字されるレシートにおいて、印字データ作成手段により作成された印字データは、個々の商品の金額データ群と、これら商品の中で値引き対象商品の値引き額の集計データ群とを分けて表記することを特徴とするレシート印字記載方法。
【請求項４】
値引き対象商品の値引き額の集計データ群は、個々の商品の金額データ群の後に印字することを特徴とする請求項３記載のレシート印字記載方法。
【発明の詳細な説明】
【技術分野】
【０００１】
本発明の実施形態は商品販売データ処理装置およびレシート印字記載方法に関する。
【背景技術】
【０００２】
従来、小売店等の商品販売店舗や、飲食店等の役務提供店舗では、ＰＯＳ（Ｐｏｉｎｔ  Ｏｆ  Ｓａｌｅｓ）端末やＥＣＲ（Ｅｌｅｃｔｒｉｃ  Ｃａｓｈ  Ｒｅｇｉｓｔｅｒ）等の商品販売データ処理装置が、取引の会計に使用されている。この装置は、スキャナによるバーコードの読取りや、キーボードまたはタッチパネルの操作を介して取引に係る商品等の情報の入力を受付け、入力された情報を所定の記憶手段に登録して行く。そして、取引の締めが宣言されると、前記記憶手段に登録された情報を基に代金を算出し、現金、デビットカード、クレジットカードまたは電子マネーによる代金の支払いを受付ける。通常、商品販売データ処理装置には、感熱紙等の印字媒体に取引の明細情報を印字するプリンタが接続或いは内蔵されており、商取引が確定した際に、該プリンタから顧客用のレシートが印字、発行される。
【０００３】
しかしながら、この種のレシートでは、レシートに印字される内容は購入した個々の商品の金額のみならず、商品の値引き金額についてもその対象商品の金額直下に印字しており、値引き商品が多い場合は、レシートへの印字は個々の商品金額と値引き額が交互に羅列することになる。よって、多くの値引き商品の印字があった場合、見る側にとって値引き金額の表示が邪魔になり、何の商品を買ったのか分かりづらくなってなってしまう。また、値引き金額についても合計でいくら値引きされたのかがひと目で把握できない。さらに、印字の行数も増えるためレシート用紙もその分多く使用することになり、資源節約の面からも問題があった。
【先行技術文献】
【特許文献】
【０００４】
【特許文献１】特開2000-76556公報
【発明の概要】
【発明が解決しようとする課題】
【０００５】
そこで、本発明が解決しようとする課題は、レシート印字の際に値引き商品があった場合、同じ値引き額、または同じ値引き率の商品の値引き額を集計し、その集計結果を一括で印字して、当該レシートにおける商品の値引き金額をまとめて表記するとともに、レシート用紙の節約を図るものである。
【課題を解決するための手段】
【０００６】
本発明の実施形態における商品販売データ処理装置は、レシートを印字する印字手段と、商品に関する情報の入力を行う商品入力手段と、一商取引内に前記商品入力手段を介して入力された商品に関する情報に基づいて、当該取引の明細情報を有するレシートを前記印字手段に印字させるための印字データを作成する印字データ作成手段と、前記印字データ作成手段により作成された、個々の商品の金額データ群と、これら商品の中で値引き対象商品の値引き額の集計データ群とを分けて表記する印字データに基づくレシートを、前記印字手段に印字させる印字制御手段とを備える。
【図面の簡単な説明】
【０００７】
【図１】実施形態の商品販売データ処理装置の外観斜視図。
【図２】商品販売データ処理装置の制御回路を示すブロック図。
【図３】商品販売データ処理装置が有する商品データ登録エリアのデータ構造を示す図。
【図４】商品販売データ処理装置の動作を示すフローチャート。
【図５−ａ】商品販売データ処理装置が作成するレシートの印字例を示す図。
【図５−ｂ】従来のレシートの印字例を示す図。
【発明を実施するための形態】
【０００８】
以下、実施形態の商品販売データ処理装置を図面を参照して説明する。
【０００９】
図１は、実施形態の商品販売データ処理装置１の外観斜視図である。図１に示すように、商品販売データ処理装置１の本体２には、鍵スイッチ３と、本実施形態における商品入力手段として機能するキーボード４およびスキャナ５と、キャッシャ側に表示面が向けられたキャッシャ側ディスプレイ６と、客側に表示面が向けられた客側ディスプレイ７と、スライド式のカードリーダ８と、本実施形態における印字手段として機能するレシートプリンタ９とを備えている。
【００１０】
鍵スイッチ３は、専用の操作キーの挿入を受け付ける鍵穴を有する回動式のスイッチであり、回動の停止位置に応じて商品販売データ処理装置１の動作モードを切替える。
【００１１】
キーボード４およびスキャナ５は、商品販売データ処理装置１に商品に関する情報を入力するための商品入力手段として機能するものである。キーボード４は、数値入力用のテンキーや、合計金額の算出等を指示する仮締めキー、釣銭額等の算出を指示する締めキー、およびレシートの印字を指示する印字キー等を含んでいる。スキャナ５は、商品に付された商品ラベルに印刷されたバーコードを読取るバーコードスキャナ等である。
【００１２】
キャッシャ側ディスプレイ６は、商品入力手段により入力された商品の品名、価格や商品登録の終了が宣言され、仮締めキーおよび締めキーにより１取引の合計金額、預り金額、釣銭額などを表示する。
【００１３】
客側ディスプレイ７は、コマーシャル情報などの顧客案内情報、取引明細（商品名、単価、個数）、取引結果（合計金額、預り金額、釣銭額）等を表示する。
【００１４】
カードリーダ８は、非現金決済に用いるカードが挿入されてスライド操作されることにより、そのカードに記録されているデータを読取る。
【００１５】
レシートプリンタ９は、例えばサーマルプリンタであり、ロール状に巻回された感熱紙等のレシート用紙（印字媒体）をサーマルヘッドとプラテンローラとの当接位置に搬送しレシートを印字する。
【００１６】
次に、商品販売データ処理装置１の制御回路について説明する。図２は、商品販売データ処理装置の制御回路を示すブロック図である。商品販売データ処理装置１の本体２には、制御の中枢として機能するＣＰＵ（Ｃｅｎｔｒａｌ  Ｐｒｏｃｅｓｓｉｎｇ  Ｕｎｉｔ）１０が搭載されている。そして、ＣＰＵ１０に対して、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、時計回路１３、通信Ｉ／Ｆ（Ｉｎｔｅｒｆａｃｅ）１４、ＨＤＤ（Ｈａｒｄ  Ｄｉｓｋ  Ｄｒｉｖｅ）コントローラ１５、キーボードコントローラ１６、表示コントローラ１７，１８、カードリーダコントローラ１９、プリンタコントローラ２０、スキャナコントローラ２１等が、アドレスバスやデータバス等のバスライン２２を介して接続されている。
【００１７】
さらに、通信Ｉ／Ｆ１４にＬＡＮ（Ｌｏｃａｌ  Ａｒｅａ  Ｎｅｔｗｏｒｋ）３２が接続され、ＨＤＤコントローラ１５にＨＤＤ３３が接続され、キーボードコントローラ１６に前記鍵スイッチ（ＳＷ）３とキーボード４とが接続され、表示コントローラ１７に前記キャッシャ側ディスプレイ６が接続され、表示コントローラ１８に前記客側ディスプレイ７が接続され、カードリーダコントローラ１９に前記カードリーダ８が接続され、プリンタコントローラ２０に前記レシートプリンタ９が接続され、スキャナコントローラ２１に前記スキャナ５が接続されている。
【００１８】
ＲＯＭ１１は、ＢＩＯＳ（Ｂａｓｉｃ  Ｉｎｐｕｔ／Ｏｕｔｐｕｔ  Ｓｙｓｔｅｍ）等の固定的データを記憶している。
【００１９】
ＲＡＭ１２には、処理場面に応じて各種の作業用記憶エリアが形成される。特に、会計処理の実行中には、前記商品入力手段を介して入力される商品名や商品単価等の商品データおよび各商品の販売点数等が登録される商品データ登録エリア３０と、レシートの印字データが作成される印字データ作成エリア３１とが形成される。
【００２０】
図３に商品データ登録エリア３０のデータ構造の一例を示す。この例では、商品名“キャベツ”に対して単価“￥１００”数量“１”値引き分類“Ａ”値引き率“△５％”値引き額“−￥５”が登録され、商品名“レタス”に対して単価“￥２００”数量“１”値引き分類“Ａ”値引き率“△５％”値引き額“−￥１０”が登録され、商品名“イチゴ”に対して単価“￥４００”数量“１”値引き分類“Ｂ”値引き率“△１０％”値引き額“−￥４０”が登録され、商品名“ジュース”に対して単価“￥１００”数量“１”値引き分類“Ａ”値引き率“△５％”値引き額“−￥５”が登録され、商品名“チョコレート”に対して単価“￥２５０”数量“１”値引き分類“Ｂ”値引き率“△１０％”値引き額“−￥２５”が登録され、商品名“ビール”に対して単価“￥３００”数量“１”が登録され、商品名“トウフ”に対して単価“￥１５０”数量“１”値引き分類“Ｂ”値引き率“△１０％”値引き額“−￥１５”が登録され、商品名“ミルク”に対して単価“￥１５０”数量“１”が登録され、商品名“ショウユ”に対して単価“￥５００”数量“１”値引き分類“Ｃ”値引き率“△５０％”値引き額“−￥２５０”が登録され、商品名“キュウリ”に対して単価“￥２００”数量“１”が登録されている。
【００２１】
通信Ｉ／Ｆ１４は、ＬＡＮ３２を介して接続されたストアサーバ等の上位機器との通信を制御する。
【００２２】
ＨＤＤ３３には、ＯＳファイルやアプリケーションファイル等、商品販売データ処理装置としての機能を実現するために必要なソフトウエアおよびデータベースが記憶されている。ＨＤＤコントローラ１５は、ＨＤＤ３３に対するデータの書き込み／読み出しを制御する。
【００２３】
キーボードコントローラ１６は、鍵スイッチ３から回動の停止位置に応じて出力される電気信号や、キーボード４から押下げられた操作キーに応じて出力される電気信号に基づいて、選択された動作モードや押下げられた操作キーの種別を示すデジタル信号を生成し、ＣＰＵ１０に通知する。
【００２４】
表示コントローラ１７は、ＣＰＵ１０からの指令に応じてキャッシャ側ディスプレイ６の画面表示を制御する。
【００２５】
表示コントローラ１８は、ＣＰＵ１０からの指令に応じて客側ディスプレイ７の画面表示を制御する。
【００２６】
カードリーダコントローラ１９は、カードリーダ８による磁気カードの読み取りタイミングを制御し、カードリーダ８が読み取ったカード情報をＣＰＵ１０に通知する。
【００２７】
プリンタコントローラ２０は、印字データ作成エリア３１に作成された印字データに基づいてレシートプリンタ９を駆動し、取引の明細情報を有するレシートを発行させる。
【００２８】
スキャナコントローラ２１は、スキャナ５を駆動し、このスキャナ５が読み取った商品コードをＣＰＵ１０へ送信する。
【００２９】
次に、商品販売データ処理装置１の動作について、図４に示す会計処理のフローチャートを用いて説明する。
【００３０】
図４に示すように、まず、顧客が商品をレジに持ってくると、キャッシャは商品のバーコードをスキャナ５で読み取って商品データの入力を行う。キャッシャは全ての商品のバーコード読み取りが完了するまで動作を続ける。なお、バーコードの付与されていない商品や同一商品を多数販売する場合などにはキーボード４で商品コードや価格、数量を入力する（ステップＳ１）。
【００３１】
このとき、ＣＰＵ１０は、入力された商品データ（商品名、単価、数量、値引き分類、値引き率、値引き額等）を、随時商品データ登録エリア３０に登録する（ステップＳ２）。
【００３２】
このようにして商品データが商品データ登録エリア３０に登録された後、ＣＰＵ１０は、当該取引に係る全ての商品データの入力完了が宣言されたか否かを判断する（ステップＳ３）。この判断は、キーボード４に設けられた仮締めキーとしての小計キーが押し下げられているか否かに基づいて行われる。未だ小計キーが押し下げられていないならば、ＣＰＵ１０は、商品データの入力が完了していないと判断し（ステップＳ３のＮｏ）、商品データの入力を待ち受ける（ステップＳ１）。
【００３３】
一方、すでに小計キーが押し下げられているならば、ＣＰＵ１０は、商品データの入力完了が宣言されたと判断する（ステップＳ３のＹｅｓ）。このとき、ＣＰＵ１０は、商品データ登録エリア３０に登録された商品データに基づいて当該取引の小計金額および合計金額を算出し、算出した合計金額等を表示コントローラ１７，１８を介してキャッシャ側ディスプレイ６および客側ディスプレイ７に表示させる（ステップＳ４）。しかる後、ＣＰＵ１０は、キーボード４を介しての顧客からの預り金額の入力を受け付けつつ、取引の締めの宣言を待つ（ステップＳ５のＮｏ）。
【００３４】
預り金額が入力された状態でキーボード４に設けられた締めキーが押し下げられると、ＣＰＵ１０は、取引の締めが宣言されたと判断する（ステップＳ５のＹｅｓ）。このとき、ＣＰＵ１０は、入力された預り金額から合計金額を減算して釣り銭額を算出し、算出した釣り銭額等を表示コントローラ１７，１８を介してキャッシャ側ディスプレイ６および客側ディスプレイ７に表示させる（ステップＳ６）。
【００３５】
続いて、ＣＰＵ１０は、当該取引において、取引された商品の中に値引き商品があるか否かを判定する（ステップＳ７）。
【００３６】
判定の結果、値引き商品が無しの場合（ステップＳ７のＮｏ）、ＣＰＵ１０は、当該取引において商品データ登録エリア３０に登録された情報に基づいて、当該取引の明細情報を有するレシートの「値引き商品無しの場合の印字データ」を印字データ作成エリア３１に作成する（ステップＳ８）。
【００３７】
一方、値引き商品が有りの場合（ステップＳ７のＹｅｓ）、ＣＰＵ１０は、当該取引において商品データ登録エリア３０に登録された情報に基づいて、当該取引の明細情報を有するレシートの「値引き商品有りの場合の印字データ」を印字データ作成エリア３１に作成する（ステップＳ９）。
【００３８】
そして、ＣＰＵ１０は、ステップＳ８またはステップＳ９の動作にて印字データ作成エリア３１に作成した印字データに基づくレシートを、プリンタコントローラ２０を介してレシートプリンタ９に印字させる（ステップＳ１０）。レシートプリンタ９がレシートを印字し終えると、ＣＰＵ１０は、図示せぬカッタ機構を動作させて連続紙たるレシート用紙からレシート印字部分を切り離し（ステップＳ１１）、一連の会計処理を終了する。かくして発行されたレシートは、キャッシャから顧客に手渡される。
【００３９】
次に、値引き商品有りの場合の印字データに基づき作成されたレシートについて説明する。図５−ａは、値引き商品有りの場合の印字データに基づき作成されたレシートＲ１の印字例である。
【００４０】
図５−ａに示すように、このレシートＲ１の印字例は、先端側に設けられた店舗情報表示エリアと、店舗情報表示エリアの下方に設けられた商品データ表示エリアと、商品データ表示エリアの下方に設けられた合計金額等表示エリアとを有している。特に、商品データ表示エリアにおいて、個々の商品の金額データ群と、これらの商品の中で値引き対象商品の値引き額の集計データ群とを分けて表記させる。上記実施形態では、値引き対象商品の値引き額の集計データ群について、同じ値引き率を纏めて集計しその合計額を表記したが、同じに値引き額を纏めて集計しその合計額を表記させたものでもよい。
【００４１】
なお、図５−ｂは、従来のレシートＲ２の印字例を示す図である。
【００４２】
以上、説明したように、本実施形態の商品販売データ処理装置によれば、レシート印字の際に値引き商品があった場合、商品データ表示エリアにおいて、個々の商品の金額データ群と、これらの商品の中で値引き対象商品の値引き額の集計データ群とを分けて表記したので、レシートにおける個々の商品の印字をすっきりさせて分かり易くできる、また、値引き対象商品の値引き額についても、一箇所に纏めて表記したので、値引き額の合計金額をひと目で把握できる。さらに、多くの値引き対象商品があった場合は、印字行数の増加を抑えることができ、レシート用紙をその分節約できる。
【００４３】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４４】
１              商品販売データ処理装置
４              キーボード（商品入力手段）
５              スキャナ（商品入力手段）
９              レシートプリンタ（印字手段）
１０            ＣＰＵ（印字データ作成手段）
２０            プリンタコントローラ（印字制御手段）
Ｒ１            レシート
【図１】
2013073294.tif 000003
【図２】
2013073294.tif 000004
【図３】
2013073294.tif 000005
【図４】
2013073294.tif 000006
【図５−ａ】
2013073294.tif 000007
【図５−ｂ】
2013073294.tif 000008